(57)【特許請求の範囲】
【請求項１】
情報表示体と、
前記情報表示体の視認者側とは反対側に配置されるケース体と、
前記情報表示体と前記ケース体とを収容するとともに視認者側から見たときに少なくとも一部が前記ケース体と重なるように設けられる基部を有する筐体とを備え、
前記基部には、フック部を有する弾性片が前記ケース体側に向けて延設されており、
前記ケース体には、前記フック部を係止させるための非平坦形状の弾性係止部が設けられ、
前記筐体は、前記情報表示体の視認者側を覆う上側筐体と、前記基部を有する下側筐体とを備え、
前記上側筐体には、前記フック部に突き当たる突出部が設けられていることを特徴とする表示装置。
【請求項２】
前記ケース体は、前記情報表示体を支持する支持部を有し、
前記弾性係止部は、前記支持部に一体形成された第１の平坦部と、少なくとも一部が前記フック部と対向するように設けられる第２の平坦部と、前記第１の平坦部と前記第２の平坦部とを繋ぐ曲面部とを有していることを特徴とする請求項１記載の表示装置。
【請求項３】
前記突出部には、前記フック部の側面部にテンションが作用するように、その一部に非平坦部が設けられていることを特徴とする請求項１記載の表示装置。
【発明の詳細な説明】
【技術分野】
【０００１】
本発明は、所定情報を表示する情報表示体を備えた表示装置に関するものである。
【背景技術】
【０００２】
従来より、この種の表示装置にあっては、例えば下記特許文献１に記載されているものが知られている。この特許文献１に記載の表示装置は、指針と計器用文字板とからなる指針式表示部（情報表示体）と、この指針式表示部の背後に配置される回路基板と、指針式表示部と回路基板との間に配置されるケース体と、指針式表示部と回路基板とケース体とを収容する筐体とを備え、ここでの筐体は、回路基板の背後を覆う樹脂製カバーと、計器用文字板の可視領域を定めるための樹脂製見返しケースと、当該樹脂製見返しケースを覆う透明カバーとで構成される。
【０００３】
そして、上記の樹脂製カバーの底壁には、先端にフック部を有する片持ち梁状のＬ字状弾性片が切り起こし形成されており、当該フック部がケース体に設けられた貫通孔を背後から貫通して、ケース体に一体形成された平坦形状からなる係止部の表面にて係止（結合）される構成となっている。
【先行技術文献】
【特許文献】
【０００４】
【特許文献１】特開平１１−１０１２０５号公報
【発明の概要】
【発明が解決しようとする課題】
【０００５】
ところで、上述した従来の表示装置の場合、筐体に設けられたＬ字状弾性片やケース体に設けられた係止部の寸法には寸法公差が存在するため、場合によっては、Ｌ字状弾性片の先端に設けられたフック部の底面とケース体における係止部の表面との間に、寸法公差に伴う微小なクリアランスが生じてしまうことが考えられる。そして、このようにフック部の底面と、平坦形状からなる係止部の表面との間に前記微小なクリアランスが形成されたような場合、フック部とこれが係止（結合）される係止部との結合部分にがたつきが生じ、当該結合部分の結合強度（つまりケース体と筐体との結合強度）が低下することが懸念される。
そこで本発明は、前述の課題に対して対処するため、ケース体を筐体に結合させるにあたって、ケース体と筐体との結合強度を向上させることが可能な表示装置の提供を目的とするものである。
【課題を解決するための手段】
【０００６】
本発明は、情報表示体と、前記情報表示体の視認者側とは反対側に配置されるケース体と、前記情報表示体と前記ケース体とを収容するとともに視認者側から見たときに少なくとも一部が前記ケース体と重なるように設けられる基部を有する筐体とを備え、前記基部には、フック部を有する弾性片が前記ケース体側に向けて延設されており、前記ケース体には、前記フック部を係止させるための非平坦形状の弾性係止部が設けられ、前記筐体は、前記情報表示体の視認者側を覆う上側筐体と、前記基部を有する下側筐体とを備え、前記上側筐体には、前記フック部に突き当たる突出部が設けられていることを特徴とする。
【０００７】
また本発明は、前記ケース体は、前記情報表示体を支持する支持部を有し、前記弾性係止部は、前記支持部に一体形成された第１の平坦部と、少なくとも一部が前記フック部と対向するように設けられる第２の平坦部と、前記第１の平坦部と前記第２の平坦部とを繋ぐ曲面部とを有していることを特徴とする。
【０００９】
また本発明は、前記突出部には、前記フック部の側面部にテンションが作用するように、その一部に非平坦部が設けられていることを特徴とする。
【発明の効果】
【００１０】
本発明によれば、初期の目的を達成でき、ケース体を筐体に結合させるにあたって、ケース体と筐体との結合強度を向上させることが可能な表示装置を提供することができる。
【図面の簡単な説明】
【００１１】
【図１】本発明の第１実施形態による表示装置の正面図。
【図２】図１のＡ−Ａ断面図（ハッチングは省略）。
【図３】図１のＢ−Ｂ断面図（ハッチングは省略）。
【図４】図３中、主にフック部と弾性係止部とを示す要部拡大断面図（ハッチングは省略）。
【図５】図３中、矢印Ｃ方向から見たときのケース体の要部拡大正面図。
【図６】同実施形態の変形例による主にフック部と弾性係止部とを示す要部拡大断面図（ハッチングは省略）。
【図７】本発明の第２実施形態による表示装置の要部断面図（ハッチングは省略）。
【図８】同第２実施形態の変形例による表示装置の要部断面図（ハッチングは省略）。
【図９】同第２実施形態の他の変形例による表示装置の要部断面図（ハッチングは省略）。
【図１０】本発明の第３実施形態による表示装置の要部断面図（ハッチングは省略）。
【図１１】本発明の応用例による係止部とフック部との係合状態を示す表示装置の要部断面図（ハッチングは省略）。
【発明を実施するための形態】
【００１２】
（第１実施形態）以下、図１〜図５に基づいて、本発明の第１実施形態を例えば自動２輪車や自動車等の車両に搭載される車両用計器に適用した一実施形態を説明する。
【００１３】
図１、図２において、本実施形態における表示装置としての車両用計器は、各種車両情報を表示する情報表示体１０と、この情報表示体１０の視認者Ｅ側とは反対側（つまり情報表示体１０の背後側）に配置される回路基板２０と、情報表示体１０と回路基板２０との間に配置される樹脂製のケース体３０と、情報表示体１０の視認者Ｅ側を覆うように設けられる上側筐体４０と主に回路基板２０の背後側を覆うように設けられる下側筐体５０とでなる樹脂製の筐体６０とを備えている。
【００１４】
情報表示体１０は、例えば線状に延びる計器用指針としての指針１１とこの指針１１によって指示される目盛等の指標部（図示せず）を有する計器用文字板としての指標板１２とでなる指針式表示部を適用することができる。
【００１５】
指針１１は、回路基板２０に実装された指針駆動手段２１の駆動軸２１ａ先端に装着され、計測量に応じて指標板１２上を回動する。車両用計器を視認する視認者Ｅは、指針１１と前記指標部との対比判読により計測値（例えば車速情報等の各種車両情報）を把握することができるようになっている。
【００１６】
回路基板２０は、所定の配線パターンが施された硬質の配線基板からなり、ステッピングモータ等からなる指針駆動手段２１と、指標板１２に照明光を供給するためのＬＥＤからなる光源２２と、抵抗、コンデンサ等の各種回路部品（図示せず）とが前記配線パターンに導通接続されている。
【００１７】
ケース体３０は、例えばポリプロピレン等の合成樹脂材料によって形成され、指標板１２を保持する保持体としての機能、光源２２を収納するハウジングとしての機能、光源２２から発せられる照明光を前方側（指標板１２側）に反射させる反射体としての機能を有し、この場合、情報表示体１０の視認者Ｅ側とは反対側に配置されている。
【００１８】
このケース体３０は、指針駆動手段２１の駆動軸２１ａを包囲する筒状部３１と、この筒状部３１を取り巻くように指標板１２側に傾斜して延び光源２２と対向する第１の反射部３２と、指標板１２に対向し外側に向かうに従って指標板１２に近接する皿形状の環状壁からなる第２の反射部３３と、この第２の反射部３３の外周を取り巻く周壁部３４とを有している。
【００１９】
この場合、第１の反射部３２は光源２２からの照明光を主に外周に向けて放射状に反射する反射面を構成し、第２の反射部３３は第１の反射部３２を通じて外周に反射された照明光を指標板１２側に反射する反射面を構成している。また、周壁部３４は、指標板１２と回路基板２０との間に位置するように設けられた立壁形状の壁部からなる。
【００２０】
なお、３５は、周壁部３４の適宜箇所（具体的には図１中、Ｄ部で示す４箇所）に設けられた窪み部であり、３６は、その前面部が周壁部３４の前面と略同一面となるように設けられた支持部であり、この支持部３６は、窪み部３５を包囲するように設けられ、周壁部３４とともに指標板１２（情報表示体１０）を保持（支持）するものである（図３、図５参照）。
【００２１】
また、窪み部３５は、下側筐体５０に備えられる後述するフック部を受け入れるための凹状の溝部からなり、互いに向かい合うように位置している一対の第１の内壁面３５ａと、これら第１の内壁面３５ａ同士を繋ぐように設けられる平坦状の立壁面からなる第２の内壁面３５ｂとを有し、回路基板２０側に位置する第２の内壁面３５ｂの下端部には、片持ち梁形状からなる弾性係止部３７が回路基板２０の板面に沿うように形成されている。
【００２２】
弾性係止部３７は、その一部が曲面形状（湾曲形状）となっている非平坦形状に形成され、窪み部３５の下端側開口をほぼ（おおよそ）塞ぐように第２の内壁面３５ｂの前記下端部から外方（下側筐体５０の後述する側壁部側）に向けて張り出すように形成（延設）されている。
【００２３】
また、この場合、弾性係止部３７は、第２の内壁面３５ｂの前記下端部から外方（下側筐体５０の前記側壁部側）に向けて突出する第１の平坦部３７ａと、少なくとも一部が下側筐体５０の前記フック部と対向する（当接する）ように設けられる第２の平坦部３７ｂと、第１の平坦部３７ａと第２の平坦部３７ｂとを繋ぐように設けられる曲面部３７ｃとを有している（図４参照）。
【００２４】
この場合、第２の平坦部３７ｂと支持部３６に一体形成された第１の平坦部３７ａとは同一面上に位置しており、曲面部３７ｃは、所定の曲率を有するように回路基板２０側に向けて湾曲した曲面（凹面）からなる。
【００２５】
なお、曲面部３７ｃの厚さは、第１の平坦部３７ａや第２の平坦部３７ｂの厚さよりも薄く形成されているか、もしくは第１の平坦部３７ａや第２の平坦部３７ｂの厚さと略同等であればよいが、弾性係止部３７自体にバネ性（弾性）を持たせることを考慮すると、第１の平坦部３７ａや第２の平坦部３７ｂの厚さよりも薄く形成されていることが望ましく、このように構成することにより、合成樹脂材料を利用した弾性係止部３７のバネ形状を容易に得ることができる。
【００２６】
上側筐体４０は、透光性の合成樹脂材料によって形成された透視部４１と、遮光性（例えば黒色）の合成樹脂材料によって形成された不可視部４２とを備え、車両用計器を正視する視認者Ｅは透視部４１を通じて、指針１１や指標板１２の前記指標部を透視（視認）することができるようになっている。また、不可視部４２は、主に指標板１２の周縁部分を覆うように透視部４１に一体形成されている。
【００２７】
下側筐体５０は、例えばポリプロピレン等の合成樹脂材料によって形成され、回路基板２０の背後を覆うように設けられる基部５１と、ケース体３０の周壁部３４を包囲するとともに上側筐体４０の不可視部４２と対をなすように設けられる側壁部５２とが一体形成された構成となっており、この場合、基部５１は、視認者Ｅ側から見たときに少なくとも一部がケース体３０と重なるように設けられている。なお、図２の断面図において、側壁部５２は回路基板２０の右方にある箇所のみ図示されているが、図２の断面図中、左方側にも側壁部５２が設けられていることは言うまでもない。
【００２８】
また、５３は、弾性係止部３７の形成位置に対応する基部５１箇所に一体形成された弾性を有する弾性片であり、この弾性片５３は、弾性係止部３７の形成個数と同数の４つ設けられ、基部５１から情報表示体１０側に向けてそれぞれ垂直に突き出ている（延設されている）。そして、弾性片５３の先端には弾性係止部３７の第２の平坦部３７ｂに引っ掛けられる爪部からなるフック部５４が形成されている。
【００２９】
このように本例の場合、下側筐体５０の基部５１には、フック部５４を有する弾性片５３がケース体３０側（情報表示体１０側）に向けて延設されており、一方、ケース体３０には、フック部５４を係止させる（引っ掛ける）ための弾性を有する非平坦形状の弾性係止部３７が設けられた構成となっている。
【００３０】
そして、図４に示すように弾性係止部３７（第２の平坦部３７ｂ）に、フック部５４が係止された（引っ掛け固定された）状態にあっては、回路基板２０側に湾曲する曲面部３７ｃを弾性係止部３７に部分的に設けたため、可撓性（弾性）を有する片持ち梁形状の弾性係止部３７は、その自由端部側に位置する第２の平坦部３７ｂが図３中、上方側（つまり指標板１２側）に弾性変形可能となり、この弾性変形を利用して、第２の平坦部３７ｂの表面Ｐ１がフック部５４の底面Ｐ２に、常時、テンションを作用（付与）させる構成となり、フック部５４が弾性係止部３７に強固にフック結合される。
【００３１】
従って、従来のようにフック部やこれが係止される係止部の寸法公差に伴って、フック部底面と係止部表面との間に微小なクリアランスが生じることが一切なくなり、弾性係止部３７は、フック部５４を図３中、上方側（つまり指標板１２側）に押し上げるための力（テンション）を付与するテンション付与部としての機能を有していることから、ケース体３０を下側筐体５０（筐体６０）に結合させるにあたって、フック部５４とこれが係止される弾性係止部３７との結合強度（つまり筐体６０とケース体３０との結合強度）を向上させることが可能となる。
【００３２】
なお、本例における上側筐体４０と下側筐体５０とで構成される筐体６０は、車両用計器の外装ケースを構成するものであり、その内部に情報表示体１０と回路基板２０とケース体３０とが収容されている。また、上側筐体４０と下側筐体５０とは、例えばフック固定等の適宜固定手段を用いて固定されている。
【００３３】
以上のように本実施形態では、情報表示体１０と、この情報表示体１０の視認者Ｅ側とは反対側に配置されるケース体３０と、情報表示体１０とケース体３０とを収容するとともに視認者Ｅ側から見たときに少なくとも一部がケース体３０と重なるように設けられる基部５１を有する下側筐体５０（筐体６０）とを備え、基部５１には、フック部５４を有する弾性片５３がケース体３０側に向けて延設されており、ケース体３０には、フック部５４を係止させるための非平坦形状の弾性係止部３７が設けられているものである。また、ケース体３０は、指標板１２（情報表示体１０）を支持する支持部３６を有し、弾性係止部３７は、支持部３６に一体形成された第１の平坦部３７ａと、少なくとも一部がフック部５４と対向するように設けられる第２の平坦部３７ｂと、第１の平坦部３７ａと第２の平坦部３７ｂとを繋ぐ曲面部３７ｃとを有しているものである。
【００３４】
従って、弾性係止部３７は、図３中、上方側（つまり指標板１２側）に弾性変形可能となり、この弾性変形を利用して、第２の平坦部３７ｂの表面Ｐ１がフック部５４の底面Ｐ２に、常時、テンションを作用（付与）させる構成となるため、ケース体３０を下側筐体５０（筐体６０）に結合させるにあたって、フック部５４とこれが係止される弾性係止部３７との結合強度（つまり筐体６０とケース体３０との結合強度）を向上させることが可能となる。
【００３５】
また本実施形態では、第１の平坦部３７ａと、第２の平坦部３７ｂと、第１の平坦部３７ａと第２の平坦部３７ｂとの間に設けられる単一の曲面部３７ｃとで弾性係止部３７が構成されている例について説明したが、例えば本実施形態の変形例として図６に示すように非平坦形状の弾性係止部３７を、第１の平坦部３７ａと、第２の平坦部３７ｂと、第１の平坦部３７ａと第２の平坦部３７ｂとの間に設けられる複数個（例えば２つ）の曲面部３７ｃとで構成してもよく、このように構成した場合であっても前述した実施形態と同様の作用効果を得ることができる。
【００３６】
（第２実施形態）次に、本発明の第２実施形態を図７に基づいて説明するが、前述の第１実施形態と同一もしくは相当個所には同一の符号を用いてその詳細な説明は省略する。この第２実施形態では、筐体６０は、情報表示体１０の視認者Ｅ側を覆う上側筐体４０と、回路基板２０の背後を覆う基部５１を有する下側筐体５０とを備え、上側筐体４０には、フック部５４に上側から突き当たる片持ち梁形状の突出部４３が設けられた構成となっている。
【００３７】
この場合、突出部４３は、フック部５４の形成位置に対応する不可視部４２（上側筐体４０）箇所から真っ直ぐに垂下形成されたフック外れ防止用のリブとして機能するものであり、その先端側（自由端部側）には段差部４３ａが形成されている。
【００３８】
そして、図７に示すように上側筐体４０に備えられる突出部４３がフック部５４に突き当たることで（具体的には、突出部４３の段差部４３ａがフック部５４の上面部Ｌ１及びフック部５４の側面部Ｌ２と突き当たることで）、段差部４３ａがフック部５４の上面部Ｌ１、側面部Ｌ２に常時、テンションを作用（付与）させる構成となり、フック部５４が弾性係止部３７から外れにくくなるため、下側筐体５０（筐体６０）とケース体３０との結合強度をより向上させることができる。
【００３９】
また、この第２実施形態では、突出部４３の段差部４３ａがフック部５４の上面部Ｌ１、側面部Ｌ２に突き当たるように構成されている例について説明したが、突出部４３の形状はフック部５４が弾性係止部３７から外れにくくなるものであればあらゆる形状を採用することができ、例えば本第２実施形態の変形例として図８に示すように突出部４３の前記先端側（前記自由端部側）に設けられた凹部４３ｂの窪み面（窪み部）４３ｃがフック部５４の上面部Ｌ１と突き当たるように構成してもよい。
【００４０】
このように構成した場合であっても、窪み面４３ｃがフック部５４の上面部Ｌ１に常時、テンションを作用させる構成となり、下側筐体５０（筐体６０）とケース体３０との結合強度をより向上させることができる。
【００４１】
図９は、本第２実施形態の他の変形例を示している。この他の変形においては、突出部４３が、フック部５４の上面部Ｌ１と突き当たる突出基部４３ｄと、この突出基部４３ｄと不可視部４２との間にて分岐するように設けられる分岐部４３ｅとを備え、これら分岐部４３ｅの間には突出部４３が弾性を有するようにスリット４３ｆが設けられている。
【００４２】
このように構成した場合であっても、弾性を有する突出部４３に備えられる突出基部４３ｄがフック部５４の上面部Ｌ１に常時、テンションを作用させる構成となり、下側筐体５０（筐体６０）とケース体３０との結合強度をより向上させることができる。
【００４３】
（第３実施形態）次に、本発明の第３実施形態を図１０に基づいて説明するが、前述の第１実施形態と同一もしくは相当個所には同一の符号を用いてその詳細な説明は省略する。この第３実施形態では、前記第２実施形態（特に図７参照）にて採用した段差部４３ａに代えて、突出部４３の一部に曲面形状（湾曲形状）からなる曲面部（非平坦部）４３ｇを設けた構成となっている。
【００４４】
つまり、この第３実施形態において、突出部４３は、フック部５４の側面部Ｌ２に力（テンション）を作用させるべく、弾性を有する片持ち梁形状に形成され、フック部５４の形成位置に対応する不可視部４２（上側筐体４０）箇所から真っ直ぐに垂下形成された平坦形状の第１の垂下部４３ｈと、少なくとも一部がフック部５４の側面部Ｌ２と対向する（当接する）ように設けられる平坦形状の第２の垂下部４３ｊと、第１の垂下部４３ｈと第２の垂下部４３ｊとを繋ぐように設けられる上述した曲面部４３ｇとを有している。
【００４５】
この場合、第１の垂下部４３ｈと第２の垂下部４３ｊとは同一の鉛直面上に位置しており、曲面部４３ｇは、突出部４３の前記先端側（前記自由端部側）に近い位置に設けられ、所定の曲率を有するように側壁部５２側に向けて湾曲した曲面（凹面）からなる。そして、このように各垂下部４３ｈ、４３ｊと曲面部４３ｇとで構成される突出部４３は、フック部５４を図１０中、左方側（つまりケース体３０側）に押すための力（テンション）を付与するテンション付与部としての機能を有している。
【００４６】
なお、曲面部４３ｇの厚さは、第１の垂下部４３ｈや第２の垂下部４３ｊの厚さよりも薄く形成されているか、もしくは第１の垂下部４３ｈや第２の垂下部４３ｊの厚さと略同等であればよいが、突出部４３自体にバネ性（弾性）を持たせることを考慮すると、第１の垂下部４３ｈや第２の垂下部４３ｊの厚さよりも薄く形成されていることが望ましく、このように構成することにより、合成樹脂材料を利用した突出部４３のバネ形状を容易に得ることができる。
【００４７】
この第３実施形態によれば、突出部４３にはフック部５４の側面部Ｌ２にテンションが作用するように、その一部に曲面部４３ｇが設けられている。従って、図１０に示すように第２の垂下部４３ｊがフック部５４の側面部Ｌ２と当接した状態にあっては、弾性を有する片持ち梁形状の突出部４３は、その自由端部側に位置する第２の垂下部４３ｊが図１０中、左方側（つまりケース体３０側）に弾性変形可能となり、この弾性変形を利用して、第２の垂下部４３ｊの内側表面Ｌ３がフック部５４の側面部Ｌ２に、常時、テンションを作用させる構成となり、下側筐体５０（筐体６０）とケース体３０との結合強度をより向上させることができる。
【００４８】
なお、本発明は、上述の実施形態及び図面によって限定されるものではない。本発明の要旨を変更しない範囲で、適宜、実施形態及び図面に変更（構成要素の削除も含む）を加えることが可能である。
【００４９】
例えば、上述した各実施形態では、ケース体３０の外周部に各平坦部３７ａ、３７ｂと曲面部３７ｃとで構成される弾性係止部３７を４箇所設け、これら４箇所の弾性係止部３７に（４つの）フック部５４が各々係止された（引っ掛け固定された）ものであったが、例えば本発明の応用例として図１１に示すようにケース体３０の外周部に形成される４箇所の弾性係止部３７のうち、１箇所（もしくは２箇所）を曲面部３７ｃを有さない平坦状の係止部３８としてもよい。つまり、このときフック部５４は、弾性係止部３７と係止部３８とに係止される。
【００５０】
さらには、上述した各実施形態では、情報表示体１０が指針１１と指標板１２とから構成されている例について説明したが、例えば情報表示体１０として、前記計測値（前記各種車両情報）を画像等で表示可能な液晶表示パネルからなる計器用ディスプレイを適用することも可能である。
【符号の説明】
【００５１】
１０    情報表示体
２０    回路基板
３０    ケース体
３４    周壁部
３５    窪み部
３５ａ  第１の内壁面
３５ｂ  第２の内壁面
３６    支持部
３７    弾性係止部
３７ａ  第１の平坦部
３７ｂ  第２の平坦部
３７ｃ  曲面部
３８    係止部
４０    上側筐体
４３    突出部
４３ａ  段差部
４３ｃ  窪み面（窪み部）
４３ｄ  突出基部
４３ｅ  分岐部
４３ｇ  曲面部（平坦部）
５０    下側筐体
５１    基部
５３    弾性片
５４    フック部
６０    筐体
Ｌ１    フック部の上面部
Ｌ２    フック部の側面部
Ｐ１    第２の平坦部の表面
Ｐ２    フック部の底面
Ｅ    視認者
【図１】
0006757492.tif 000002
【図２】
0006757492.tif 000003
【図３】
0006757492.tif 000004
【図４】
0006757492.tif 000005
【図５】
0006757492.tif 000006
【図６】
0006757492.tif 000007
【図７】
0006757492.tif 000008
【図８】
0006757492.tif 000009
【図９】
0006757492.tif 000010
【図１０】
0006757492.tif 000011
【図１１】
0006757492.tif 000012